(57)【要約】【課題】レンズ交換式のカメラシステムにおいて、様々な種類の光学系を適切に機能させることができるアダプターを提供する。【解決手段】アダプターは、カメラボディを着脱可能な第１マウント部と、第１マウント部とは別に設けられており、交換レンズを着脱可能な第２マウント部と、第１マウント部に装着されたカメラボディとの間で通信可能なアダプター制御部と、交換レンズのレンズ情報が予め記憶されている記憶部と、を備え、アダプター制御部は、カメラボディから要求されたレンズ情報を記憶部から読み出して、読み出したレンズ情報をカメラボディに対して送信するボディ送信用レンズ情報として生成することを特徴とする。【選択図】図３
2013064945.tif 000002
【特許請求の範囲】
【請求項１】
カメラボディを着脱可能な第１マウント部と、
前記第１マウント部とは別に設けられており、交換レンズを着脱可能な第２マウント部と、
前記第１マウント部に装着された前記カメラボディとの間で通信可能なアダプター制御部と、
交換レンズのレンズ情報が予め記憶されている記憶部と、
を備え、
前記アダプター制御部は、
前記カメラボディから要求されたレンズ情報を前記記憶部から読み出して、前記読み出したレンズ情報を前記カメラボディに対して送信するボディ送信用レンズ情報として生成することを特徴とするアダプター。
【請求項２】
前記記憶部には、複数種類の交換レンズそれぞれに対応するレンズ情報が、複数のレンズ情報の組を示すレンズ情報セットとして記憶されており、
前記アダプター制御部は、
前記記憶部に記憶されている前記複数種類のレンズ情報セットのうちの選択されたレンズ情報セットから、前記カメラボディから要求されたレンズ情報を読み出すことを特徴とする請求項１に記載のアダプター。
【請求項３】
交換レンズの種類を示す情報が操作者により入力可能な入力部、を備え、
前記アダプター制御部は、
前記記憶部に記憶されている前記複数種類のレンズ情報セットのうち、前記入力部により入力された交換レンズの種類を示す情報に対応するレンズ情報セットから、前記カメラボディから要求されたレンズ情報を読み出すことを特徴とする請求項２に記載のアダプター。
【請求項４】
前記複数種類のレンズ情報セットのうちのいずれかのレンズ情報セットを操作者の操作により選択可能なレンズ情報選択操作部、を備え、
前記アダプター制御部は、
前記記憶部に記憶されている前記複数種類のレンズ情報セットのうち、前記レンズ情報選択操作部により選択されたレンズ情報セットから、前記カメラボディから要求されたレンズ情報を読み出すことを特徴とする請求項２または請求項３に記載のアダプター。
【請求項５】
前記複数種類の交換レンズそれぞれに対応するレンズ情報セットは、前記複数種類の交換レンズそれぞれの種類を示す情報とそれぞれ対応付けられて前記記憶部に記憶されていることを特徴とする請求項２から請求項４のいずれか１項に記載のアダプター。
【請求項６】
前記アダプター制御部は、
前記記憶部に記憶されている前記複数種類のレンズ情報セットのうち、選択された交換レンズの種類を示す情報と対応付けられているレンズ情報セットから、前記カメラボディから要求されたレンズ情報を読み出すことを特徴とする請求項２から請求項５のいずれか１項に記載のアダプター。
【請求項７】
前記交換レンズが備える絞りの絞り値を操作者の操作に応じて設定可能な絞り操作部、を備え、
前記記憶部には、前記絞り操作部が操作されることに応じて設定される絞り値と、絞り値情報とが対応付けられて記憶されており、
前記アダプター制御部は、
前記絞り操作部が操作されることに応じて設定された絞り値に対応する絞り値情報を前記記憶部から読み出して、前記読み出した絞り値情報を前記ボディ送信用レンズ情報として生成することを特徴とする請求項１から請求項６のいずれか１項に記載のアダプター。
【請求項８】
前記アダプター制御部は、
前記カメラボディからの要求に応じて、前記ボディ送信用レンズ情報を前記カメラボディに送信することを特徴とする請求項１から請求項７のいずれか１項に記載のアダプター。
【請求項９】
前記アダプター制御部は、
さらに前記第２マウント部に装着された前記交換レンズとの間で通信可能であり、
前記交換レンズに対して送信する処理を実行し、前記交換レンズから受信する処理を
実行しないことを特徴とする請求項１から請求項８のいずれか１項に記載のアダプター。
【請求項１０】
前記アダプター制御部は、
前記カメラボディの情報、前記アダプターの情報、および前記交換レンズへの制御指令、のいずれかを前記交換レンズに対して送信する処理を実行し、前記交換レンズから前記交換レンズの情報を受信する処理を実行しないことを特徴とする請求項１から請求項９のいずれか１項に記載のアダプター。
【請求項１１】
請求項１から請求項１０のいずれか１項に記載のアダプターと、
前記第１マウント部に装着された前記カメラボディと、
前記第２マウント部に装着された前記交換レンズと、
を備えることを特徴とするカメラシステム。
【請求項１２】
カメラボディを着脱可能な第１マウント部と、前記第１マウント部とは別に設けられており、交換レンズを着脱可能な第２マウント部と、を備えたアダプターに設けられているアダプター制御部の動作を制御するアダプター制御プログラムであって、
前記カメラボディから要求された前記交換レンズのレンズ情報を、交換レンズのレンズ情報が予め記憶されている記憶部から読み出すステップと、前記読み出したレンズ情報を前記カメラボディに対して送信するボディ送信用レンズ情報として生成するステップと、をコンピュータに実行させるためのアダプター制御プログラム。
【発明の詳細な説明】
【技術分野】
【０００１】
本発明は、アダプター、カメラシステム、およびアダプター制御プログラムに関する。
【背景技術】
【０００２】
カメラボディとカメラボディに着脱可能な交換レンズとを備えるレンズ交換式のカメラシステムがある（例えば、特許文献１参照）。
このレンズ交換式のカメラシステムにおいては、カメラボディに装着される交換レンズを変更することにより、様々な種類の光学系を介しての撮像が可能である。
【先行技術文献】
【特許文献】
【０００３】
【特許文献１】特開２００８−２７５８９０号公報
【発明の概要】
【発明が解決しようとする課題】
【０００４】
近年、デジタル方式のカメラシステムにおいては、従来よりもカメラボディのサイズが小型化された新しいレンズ交換式のカメラシステムが開発されている。
しかしながら、この新しいレンズ交換式のカメラシステムのカメラボディには、既存のカメラシステムの交換レンズを装着させて機能させることができない場合がある。
ところで、既存の交換レンズは、一般に広く普及している。そのため、新しいレンズ交換式のカメラシステムにおいて、様々な種類の光学系を介しての撮像を可能にするためには、既存の交換レンズも装着させて機能させることができるようになることが望まれている。
【０００５】
本発明は、このような事情に鑑みてなされたもので、その目的は、レンズ交換式のカメラシステムにおいて、様々な種類の光学系を適切に機能させることができるアダプター、カメラシステム、およびアダプター制御プログラムを提供することにある。
【課題を解決するための手段】
【０００６】
この発明は上述した課題を解決するためになされたもので、カメラボディを着脱可能な第１マウント部と、前記第１マウント部とは別に設けられており、交換レンズを着脱可能な第２マウント部と、前記第１マウント部に装着された前記カメラボディとの間で通信可能なアダプター制御部と、交換レンズのレンズ情報が予め記憶されている記憶部と、を備え、前記アダプター制御部は、前記カメラボディから要求されたレンズ情報を前記記憶部から読み出して、前記読み出したレンズ情報を前記カメラボディに対して送信するボディ送信用レンズ情報として生成することを特徴とするアダプターである。
また、本発明は、上記記載のアダプターと、前記第１マウント部に装着された前記カメラボディと、前記第２マウント部に装着された前記交換レンズと、を備えることを特徴とするカメラシステムである。
また、本発明は、カメラボディを着脱可能な第１マウント部と、前記第１マウント部とは別に設けられており、交換レンズを着脱可能な第２マウント部と、を備えたアダプターに設けられているアダプター制御部の動作を制御するアダプター制御プログラムであって、前記カメラボディから要求された前記交換レンズのレンズ情報を、交換レンズのレンズ情報が予め記憶されている記憶部から読み出すステップと、前記読み出したレンズ情報を前記カメラボディに対して送信するボディ送信用レンズ情報として生成するステップと、をコンピュータに実行させるためのアダプター制御プログラムである。
【発明の効果】
【０００７】
この発明によれば、レンズ交換式のカメラシステムにおいて、様々な種類の光学系を適切に機能させることができる。
【図面の簡単な説明】
【０００８】
【図１】この発明の一実施形態によるカメラシステムの構成を示す斜視図である。
【図２】第１の実施形態によるアダプターの構成の一例を示す斜視図である。
【図３】本実施形態によるカメラシステムの構成の第１の例を示す概略ブロック図である。
【図４】本実施形態によるカメラシステムの構成の第２の例を示す概略ブロック図である。
【図５】本実施形態によるカメラシステムの構成の第３の例を示す概略ブロック図である。
【図６】本実施形態による交換レンズに係る処理の状態遷移の概要を示すフローチャートである。
【図７】レンズ定常処理におけるコマンドデータ通信の通信シーケンスの一例を示す図である。
【図８】第２の実施形態によるアダプターの構成の一例を示す斜視図である。
【図９】本実施形態によるカメラシステムの構成の第４の例を示す概略ブロック図である。
【図１０】本実施形態によるカメラシステムの構成の第５の例を示す概略ブロック図である。
【発明を実施するための形態】
【０００９】
以下、図面を参照して、本発明の実施の形態について説明する。
［第１の実施形態］
図１は、この発明の一実施形態によるカメラシステム１の構成を示す斜視図である。
図１に示すカメラシステム１は、レンズ交換式のカメラシステムであり、カメラボディ１００と、交換レンズ２００と、カメラボディ１００と交換レンズ２００との間に設けられ、カメラボディ１００と交換レンズ２００とに対してそれぞれ着脱可能に固定されるアダプター３００と、を備えている。
この図において、アダプター３００は、カメラボディ１００に装着されている。また、交換レンズ２００は、アダプター３００を介してカメラボディ１００に装着されている。
【００１０】
このカメラシステム１において、カメラボディ１００が備えているレンズマウントであるカメラボディ側マウント１０１の仕様と、交換レンズ２００が備えているレンズマウントであるレンズ側マウント２０１の仕様とは、互いに異なる仕様である。例えば、カメラボディ側マウント１０１の仕様とレンズ側マウント２０１の仕様とでは、マウント形状の仕様、電気的に接続される接続端子の仕様が互いに異なる。また、該接続端子を介して通信される通信規格や通信データの種類等も互いに異なる。そのため、交換レンズ２００をカメラボディ１００に直接装着することはできない。
そこで、アダプター３００は、カメラボディ１００と交換レンズ２００とを間接的に装着可能にするマウントアダプターとして構成されている。さらに、アダプター３００は、互いに異なる通信規格や通信データの種類を持つカメラボディ１００と交換レンズ２００との間で、それら通信規格等を変更すること無く、両者間の通信を可能とするように構成されている。
また、カメラボディ１００は、電源釦１３１と、レリーズ釦１３２と、背面操作部１３３と、表示部１５０と、を備えている。
電源釦１３１は、カメラボディ１００における主電源のオンとオフとを切替えるための操作部材である。
レリーズ釦１３２は、撮影処理開始の指示を受け付ける操作部材である。例えば、レリーズ釦１３２は、半押しされた状態（半押し状態、例えば、焦点調整、露出調整等を受け付ける状態）と全押しされた状態（全押し状態、例えば、露光開始の指示を受け付ける状態）との２種類の撮影処理開始の指示を受け付ける。
背面操作部１３３は、カメラボディ１００の筐体面のうちカメラボディ側マウント１０１を備えている面と反対面である背面に設けられている。背面操作部１３３は、例えば、動作モードの選択釦（例えば、モードダイヤル）、または、各種設定条件の選択釦（例えば、メニュー釦や上下左右選択釦）等の操作部材を含んで構成されている。
表示部１５０は、背面操作部１３３と同様に背面に設けられており、撮影された画像、または、各種設定条件を選択させるメニュー画面等を表示する。表示部１５０は、例えば、液晶ディスプレイ、または有機ＥＬ（Electro-Luminescence）ディスプレイ等を含んで構成されている。
【００１１】
図２は、本実施形態によるアダプター３００の構成の一例を示す斜視図である。
アダプター３００は、カメラボディ１００を着脱可能な第１マウント部と、第１マウント部とは別に設けられており、交換レンズ２００を着脱可能な第２マウント部と、を備えている。
例えば図２に示すように、アダプター３００は、カメラボディ１００が備えているカメラボディ側マウント１０１に着脱可能な第１マウント３０１（第１マウント部）と、交換レンズ２００が備えているレンズ側マウント２０１に着脱可能な第２マウント３０２（第２マウント部）と、を備えている。
なお、第１マウント３０１の近傍には、カメラボディ側マウント１０１の近傍に設けられている複数の電気的な接続端子のそれぞれに対応する、複数の電気的な接続端子（マウント接点）が設けられている。これにより、アダプター３００は、カメラボディ１００に装着されると、これら複数の接続端子を介して、カメラボディ１００と電気的に接続される。
また、第２マウント３０２の近傍には、レンズ側マウント２０１の近傍に設けられている複数の電気的な接続端子のそれぞれに対応する複数の電気的な接続端子を備えている。これにより、アダプター３００は、交換レンズ２００に装着されると、これら複数の接続端子を介して交換レンズ２００と電気的に接続される。
【００１２】
また、アダプター３００は、アダプター３００を三脚に取り付け可能とするための三脚座３０５と、レンズ着脱釦３０６と、絞り連動レバー３５０と、を備えている。
レンズ着脱釦３０６は、交換レンズ２００が装着されることに応じて機械的にロックされるロック機構のロックを解除するための釦である。つまり、レンズ着脱釦３０６は、ユーザが、アダプター３００に装着されている交換レンズ２００を取り外す際に操作する操作部材である。
【００１３】
絞り連動レバー３５０（絞り連動機構部）は、交換レンズ２００の絞りによる絞り開口径（絞りによる絞り込み量、開口サイズ、開口率、絞り値）を変化させる複数の絞り羽根を含む絞り機構２５１（図３参照）を変位させるためのレバーとしてアダプター３００に備えられている。絞り連動レバー３５０の位置が、アダプター３００の内周に沿った方向に移動することで、交換レンズ２００の絞りの開口径が変化するよう構成されている。
例えば、交換レンズ２００は、絞り機構２５１を変位させる絞りレバー２５２（図３参照）を備えている。したがって、交換レンズ２００の絞り開口径は、絞りレバー２５２の位置が移動することで変位する。そして絞りレバー２５２は、絞り連動レバー３５０と勘合し、絞り連動レバー３５０と連動して移動するよう構成されている。このため交換レンズ２００の絞り開口径は、絞り連動レバー３５０の位置が移動することで変化する。
すなわち、絞り連動レバー３５０は、交換レンズ２００が備えている絞り機構２５１（絞り）の絞り値に応じた位置に移動する。
【００１４】
＜カメラシステムのブロック構成の説明＞
次に、図３を参照して、カメラシステム１のブロック構成について説明する。
図３は、本実施形態によるカメラシステム１の構成の一例を示す概略ブロック図である。この図において、カメラボディ１００と交換レンズ２００とは、アダプター３００を介して装着されている。また、カメラボディ１００、交換レンズ２００、およびアダプター３００がそれぞれ備える接続端子を介して、互いに電気的に接続されている。
【００１５】
まず、カメラシステム１の構成の概略を説明する。
カメラボディ１００は、接続部１０１ｓを含むカメラボディ側マウント１０１を備えている。アダプター３００は、接続部３０１ｓを含む第１マウント３０１と、接続部３０２ｓを含む第２マウント３０２と、を備えている。交換レンズ２００は、接続部２０１ｓを含むレンズ側マウント２０１を備えている。
【００１６】
カメラボディ１００とアダプター３００とは、カメラボディ側マウント１０１および第１マウント３０１を介して装着（物理的に接続）されており、また接続部１０１ｓおよび接続部３０１ｓを介して電気的に接続されている。接続部１０１ｓと接続部３０１ｓはそれぞれ、互いに電気的に接続される８個の接続端子（端子Ｔａ１〜Ｔａ８と、端子Ｔｂ１〜Ｔｂ８）を備えており、この接続端子を介してカメラボディ１００とアダプター３００との間で給電（電圧の供給）および信号の授受（通信）が行われる。
なお、信号の授受（通信）は、カメラボディ１００が備えているカメラ制御部１１０とアダプター３００が備えているアダプター制御部３１０との間で行われる。
【００１７】
また、交換レンズ２００とアダプター３００とは、レンズ側マウント２０１および第２マウント３０２を介して装着（物理的に接続）されており、また接続部２０１ｓおよび接続部３０２ｓを介して電気的に接続されている。接続部２０１ｓと接続部３０２ｓはそれぞれ、互いに電気的に接続される７個の接続端子（端子Ｔｃ１〜Ｔｃ７と、端子Ｔｄ１〜Ｔｄ７と）を備えており、この接続端子を介して交換レンズ２００とアダプター３００との間で給電（電圧の供給）および信号の授受（通信）が行われる。
なお、信号の授受（通信）は、交換レンズ２００が備えているレンズ制御部２１０とアダプター３００が備えているアダプター制御部３１０との間で行われる。
【００１８】
（カメラボディの構成）
次に、カメラボディ１００の構成について説明する。
カメラボディ１００は、カメラ制御部１１０と、カメラ電源部１２０と、スイッチ１２５と、バッテリー部１９０Ｂと、接続部１０１ｓ（端子Ｔａ１〜Ｔａ８）とを備えている。
接続部１０１ｓは、アダプター３００が備えている接続部３０１ｓの８個の接続端子（端子Ｔｂ１〜Ｔｂ８）と互いに接続される接続端子として、端子Ｔａ１〜Ｔａ８の８個の接続端子を備えている。
なお、アダプター３００の構成については後で詳細に説明する。
【００１９】
バッテリー部１９０Ｂは、バッテリー１９０を収納する。
バッテリー１９０は、カメラボディ１００、交換レンズ２００およびアダプター３００に電圧を供給する。例えば、バッテリー１９０は、リチウムイオン２次電池またはニッケル水素２次電池等である。なお、バッテリー１９０は、アルカリ電池等の１次電池であってもよい。また、カメラボディ１００は、バッテリー１９０から電圧が供給される構成に限られず、外部の直流電源（例えば、交流電源から直流電源に変換して電圧を供給するＡＣアダプター等）から電圧が供給されてもよい。
【００２０】
カメラ電源部１２０は、バッテリー１９０から供給される電圧をカメラボディ１００、またはカメラボディ１００に接続されるカメラアクセサリーに供給できるようバッテリー電圧を変換する。例えば、カメラ電源部１２０は、バッテリー電圧を変換することで、カメラボディ１００が備えている制御系回路（主にカメラ制御部１１０）に電圧を供給する電源Ｖｃｃ０と、カメラ電源部１２０は、接続部１０１ｓに接続されるアダプター３００に電圧を供給する第１電源系統である電源Ｖｃｃ１とに分ける。この電源Ｖｃｃ１の電圧は、アダプター３００が備えている制御系回路（主にアダプター制御部３１０）に供給される。以下、この電源Ｖｃｃ１を、制御系電源Ｖｃｃ１と称する。
【００２１】
また、カメラ電源部１２０は、カメラ制御部１１０の制御により、制御系電源Ｖｃｃ１による電圧の供給状態と供給停止状態とを切り替える。さらに、カメラ電源部１２０は、カメラ制御部１１０の制御により、供給可能な電力（電力量、給電量）を制御する。例えば、カメラ電源部１２０は、カメラシステム１において撮影処理を実行可能な程度に供給可能な電力（電力量、給電量）が多い状態（通常給電状態）と、撮影処理を実行不可能な程度に供給可能な電力（電力量、給電量）が少ない状態（小給電状態）とを切り替える。
なお、制御系電源Ｖｃｃ１の電圧は、端子Ｔａ３と端子Ｔｂ３を介してアダプター制御部３１０に供給される。
【００２２】
また、バッテリー１９０の正極端子と端子Ｔａ２とが、バッテリー部１９０Ｂとスイッチ１２５を介して接続されている。これにより、上述した第１電源系統である電源Ｖｃｃ１とは別に、バッテリー１９０から第２電源系統である電源ＰＷＲが生成され、その電源ＰＷＲからの電圧がアダプター電源部３２０に供給される。電源ＰＷＲの電圧は、端子Ｔａ２と端子Ｔｂ２とを介してアダプター電源部３２０に供給される。なお、バッテリー１９０に代えて、外部の直流電源から電源ＰＷＲの電圧が供給されてもよい。また、電源ＰＷＲは、制御系電源Ｖｃｃ１に比べて供給可能な電力が大きい電源系統である。以下、この電源ＰＷＲを、パワー系電源ＰＷＲと称する。
【００２３】
また、パワー系電源ＰＷＲに対応するグランド（ＧＮＤ）であるパワー系グランドＰＧＮＤは、パワー系電源ＰＷＲの電圧が供給される各部および端子Ｔａ１に接続されている。一方、制御系電源Ｖｃｃ１に対応するグランドである制御系グランドＳＧＮＤは、端子Ｔａ８に接続されている。また、パワー系グランドＰＧＮＤと制御系グランドＳＧＮＤは、バッテリー部１９０Ｂを介してそれぞれバッテリー１９０の負極端子と同電位のグランドになっている。
なお、制御系グランドＳＧＮＤは、電源Ｖｃｃ０に対応するグランドでもあり、制御系グランドＳＧＮＤがカメラ制御部１１０のグランド端子に接続されている。
【００２４】
スイッチ１２５は、カメラ制御部１１０の制御により、導通状態と遮断状態（非導通状態）とを切り替える。すなわち、スイッチ１２５は、カメラ制御部１１０の制御により、パワー系電源ＰＷＲの電圧を、端子Ｔａ２に対して供給するか否かを切り替える。
【００２５】
カメラ制御部１１０は、カメラ電源制御部１１１と、第１カメラ通信部１１２と、を備えている。カメラ制御部１１０は、カメラボディ１００が備えている各部を制御するとともに、接続部１０１ｓを介して接続されるアダプター３００のアダプター制御部３１０との間で第１データ通信系Ｄ１ｂの通信を行う。
【００２６】
カメラ電源制御部１１１は、カメラボディ１００の状態、または、第１カメラ通信部１１２による通信状態に基づいて、カメラ電源部１２０およびスイッチ１２５を制御する。
なお、第１カメラ通信部１１２は、第１データ通信系Ｄ１ｂの通信を独立に実行する。
【００２７】
第１データ通信系Ｄ１ｂは、シリアルインターフェース方式の全二重通信による通信系である。第１カメラ通信部１１２は、第１データ通信系Ｄ１ｂとして、信号ＲＤＹ、ＣＬＫ１、ＤＡＴＡＢ、ＤＡＴＡＬの４種類の信号の授受（通信）を行う。
信号ＲＤＹは、第１カメラ通信部１１２に対して通信可否を通知する信号である。この信号ＲＤＹは、後述する第１アダプター通信部３１２から第１カメラ通信部１１２に対して、端子Ｔａ４を介して送信（出力）される。信号ＣＬＫ１は、シリアル通信用のクロック信号である。このクロック信号ＣＬＫ１は、第１カメラ通信部１１２から第１アダプター通信部３１２に対して、端子Ｔａ５を介して送信（出力）される。信号ＤＡＴＡＢは、第１カメラ通信部１１２から第１アダプター通信部３１２に対して、端子Ｔａ６を介して出力される、カメラボディ１００に関するデータ信号である。信号ＤＡＴＡＬは、第１アダプター通信部３１２から第１カメラ通信部１１２に対して出力される、交換レンズ２００に関するデータ信号である。第１カメラ通信部１１２は信号ＤＡＴＡＬを、端子Ｔａ７を介して受信する。
なお、第１データ通信系Ｄ１ｂの通信内容は、後で詳述する。
【００２８】
（交換レンズの構成）
次に、交換レンズ２００の構成について説明する。
交換レンズ２００は、接続部２０１ｓ（端子Ｔｄ１〜Ｔｄ７）と、レンズ制御部２１０と、光学系２２０と、光学系駆動部２３０とを備えている。
光学系２２０を介して入射した被写体光（光学像）は、アダプター３００を介してカメラボディ１００が備えている周知の撮影素子（不図示）の受光面に導かれる。
光学系２２０は、レンズ２２１と、焦点調整用レンズ（以下、フォーカスレンズと称す）２２２と、光学像の像ぶれ補正用（防振用）レンズ（以下、ＶＲ（Vibration Reduction）レンズと称す）２２３と、絞りユニット２５０と、を備えている。
【００２９】
絞りユニット２５０は、複数の絞り羽根を含む絞り機構２５１と、絞り機構２５１を機械的に操作する絞りレバー２５２とを備えている。したがって、交換レンズ２００の絞り開口径は、絞りレバー２５２が絞り機構２５１を機械的に操作することで変化する。また、図３に記載のカメラシステム１における交換レンズ２００は、絞り機構２５１を駆動するアクチュエータ等の動力源を内蔵しないレンズであり、アダプター３００の絞り連動レバー３５０によって絞りレバー２５２を介して絞り機構２５１が駆動されるレンズである。
【００３０】
光学系駆動部２３０は、ＡＦ（Auto Focus）駆動部２３１と、ＡＦエンコーダ２３２と、ＶＲ駆動部２３５と、を備えている。
ＡＦ駆動部２３１は、レンズ制御部２１０の制御によりフォーカスレンズ２２２を駆動させる。また、ＡＦエンコーダ２３２は、フォーカスレンズ２２２の位置を検出してレンズ制御部２１０に検出結果を供給する。
ＶＲ駆動部２３５は、レンズ制御部２１０の制御によりＶＲレンズ２２３を駆動させる。
なお、交換レンズ２００は、ユーザに手動操作されることによってフォーカスレンズ２２２の位置を移動させるフォーカスリングを備えている構成としてもよい。
【００３１】
接続部２０１ｓは、アダプター３００が備えている接続部３０２ｓの７個の接続端子（端子Ｔｃ１〜Ｔｃ７）と互いに接続される接続端子として、７個の接続端子Ｔｄ１〜Ｔｄ７を備えている。
光学系駆動部２３０の電圧が供給される電源Ｖｐは、端子Ｔｄ２を介して供給される。以下、この電源Ｖｐをレンズ駆動系電源Ｖｐと称する。レンズ駆動系電源Ｖｐはアダプター３００を介してパワー系電源ＰＷＲから供給される。
例えば、ＡＦ駆動部２３１が備えているフォーカスレンズ２２２を駆動するアクチュエータ、およびＶＲレンズ２２３を駆動するアクチュエータ等のように消費電力が多い光学系駆動部２３０に、この端子Ｔｄ２からレンズ駆動系電源Ｖｐの電圧が供給される。また、レンズ駆動系電源Ｖｐに対応するグランドであるパワー系グランドＰＧＮＤは、光学系駆動部２３０のグランド端子および端子Ｔｄ１に接続されている。
【００３２】
レンズ制御部２１０の電圧が供給される電源Ｖｃは、端子Ｔｄ３に接続されている。以下、この電源Ｖｃをレンズ制御系電源Ｖｃと称する。レンズ制御系電源Ｖｃはアダプター３００を介してパワー系電源ＰＷＲから供給される。
光学系駆動部２３０と比べて消費電力が少ないレンズ制御部２１０を含む制御系回路等に、この端子Ｔｄ３を介してレンズ制御系電源Ｖｃの電圧が供給される。また、レンズ制御系電源Ｖｃに対応するグランドである制御系グランドＳＧＮＤは、レンズ制御部２１０のグランド端子および端子Ｔｄ７に接続されている。
すなわち、パワー系グランドＰＧＮＤと制御系グランドＳＧＮＤとは、交換レンズ２００において互いに接続されておらず、２系統のグランドに分離されている。
【００３３】
レンズ制御部２１０は、光学系制御部２１１と、第１レンズ通信部２１２と、を備えている。レンズ制御部２１０は、光学系駆動部２３０を制御するとともに、接続部２０１ｓを介して接続されるアダプター３００のアダプター制御部３１０との間で第１データ通信系Ｄ１Ｌの通信を制御する。
【００３４】
光学系制御部２１１は、光学系駆動部２３０を制御する。例えば、光学系制御部２１１は、アダプター３００との通信状態に応じて、光学系駆動部２３０を初期化する。また、光学系制御部２１１は、アダプター３００を介したカメラ制御部１１０の制御に応じて、フォーカスレンズ２２２またはＶＲレンズ２２３等の駆動要素を駆動するよう、光学系駆動部２３０を制御する。また、光学系制御部２１１は、光学系駆動部２３０から供給される光学系（駆動要素）２２０に関する情報（例えば、ＡＦエンコーダ２３２に検出されたフォーカスレンズ２２２の位置等の情報）を取得する。
【００３５】
第１レンズ通信部２１２は、第１データ通信系Ｄ１Ｌの通信を独立したタイミングで実行する。
第１データ通信系Ｄ１Ｌは、シリアルインターフェース方式の半二重通信による通信系である。第１レンズ通信部２１２は、第１データ通信系Ｄ１Ｌとして、信号Ｒ／Ｗ、ＣＬＫ２、ＤＡＴＡの３種類の信号の通信を実行する。
信号Ｒ／Ｗは、後述するデータ信号の通信方向を示すリード／ライト信号であるが、レンズ側とアダプター３００間のハンドシェイクを行う信号として利用され、端子Ｔｄ４を介して、後述する第１アダプター通信部３１２と第１レンズ通信部２１２との間で送受信される。信号ＣＬＫ２は、シリアル通信用のクロック信号であり、第１アダプター通信部３１２から第１レンズ通信部２１２に対して、端子Ｔｄ５を介して送信(出力)される。信号ＤＡＴＡは、第１アダプター通信部３１２と第１レンズ通信部２１２との間で、端子Ｔｄ６を介して送受信されるデータ信号である。
【００３６】
なお、第１データ通信系Ｄ１Ｌにて通信される通信内容は、後で詳述する。
【００３７】
（アダプターの構成）
次に、アダプター３００の構成について説明する。
アダプター３００は、アダプター制御部３１０と、アダプター電源部３２０と、絞り連動レバー駆動部３３０（絞り連動機構駆動部）と、接続部３０１ｓ（端子Ｔｂ１〜Ｔｂ８）と、接続部３０２ｓ（端子Ｔｃ１〜Ｔｃ７）と、記憶部３４０と、絞り連動レバー３５０と、を備えている。
【００３８】
接続部３０１ｓは、カメラボディ１００側の既述の８個の接続端子Ｔａ１〜Ｔａ８と互いに接続される、８個の接続端子Ｔｂ１〜Ｔｂ８を備えている。アダプター３００とカメラボディ１００とが接続部３０１ｓおよび接続部１０１ｓを介して接続されることにより、接続部３０１ｓの端子Ｔｂ１〜Ｔｂ８のそれぞれの端子は、接続部１０１ｓの端子Ｔａ１〜Ｔａ８のそれぞれ対応する接続端子と電気的に接続する。
【００３９】
また、接続部３０２ｓは、交換レンズ２００側の既述の７個の接続端子（端子Ｔｄ１〜Ｔｄ７）と互いに接続される、７個の接続端子Ｔｃ１〜Ｔｃ７を備えている。アダプター３００と交換レンズ２００とが、接続部３０２ｓおよび接続部２０１ｓを介して接続されることにより、接続部３０２ｓの端子Ｔｃ１〜Ｔｃ７のそれぞれの端子は、接続部２０１ｓの端子Ｔｄ１〜Ｔｄ７のそれぞれ対応する接続端子と接続する。
【００４０】
端子Ｔｂ２は端子Ｔａ２に接続され、端子Ｔｂ３は端子Ｔａ３に接続される。これにより、カメラボディ１００から、端子Ｔａ２を介して端子Ｔｂ２にパワー系電源ＰＷＲの電圧が供給され、端子Ｔａ３を介して端子Ｔｂ３に制御系電源Ｖｃｃ１の電圧が供給される。これにより、アダプター電源部３２０には、カメラボディ１００から端子Ｔａ２および端子Ｔｂ２を介してパワー系電源ＰＷＲの電圧が供給される。
一方、アダプター制御部３１０には、カメラボディ１００から端子Ｔａ３および端子Ｔｂ３を介して制御系電源Ｖｃｃ１の電圧が供給される。
【００４１】
このように、アダプター３００には、カメラボディ１００から制御系電源Ｖｃｃ１の電圧（第１電源系統の電圧）と、制御系電源Ｖｃｃ１と比べて供給可能な電力が大きいパワー系電源ＰＷＲの電圧（第２電源系統の電圧）との両方が供給される。アダプター電源部３２０に供給されたパワー系電源ＰＷＲの電圧は、交換レンズ２００に電圧を供給するレンズ系電源系統として、レンズ駆動系電源Ｖｐ（第３電源系統）とレンズ制御系電源Ｖｃ（第４電源系統）とに分けられる（変換される）。例えば、アダプター電源部３２０は、カメラボディ１００から供給されたパワー系電源ＰＷＲから、交換レンズ２００に対して給電するレンズ駆動系電源Ｖｐおよびレンズ制御系電源Ｖｃの供給電圧を生成する。
なお、レンズ駆動系電源Ｖｐから供給される電圧は、レンズ制御系電源Ｖｃから供給される電圧よりも大きい。また、レンズ駆動系電源Ｖｐから供給される負荷における消費電力が、レンズ制御系電源Ｖｃから供給される負荷における消費電力に比べて多いとしてもよい。
【００４２】
さらに、アダプター電源部３２０に供給されたパワー系電源ＰＷＲからは、上述したレンズ駆動系電源Ｖｐとレンズ制御系電源Ｖｃとは別に、絞り連動レバー駆動部３３０に電圧を供給する電源Ｖｍ（第５電源系統）も生成される（分けられる）。以下、この電源Ｖｍを絞り駆動用電源Ｖｍと称する。
例えば、アダプター電源部３２０は、パワー系電源ＰＷＲの電圧を予め定められた絞り駆動用電源Ｖｍの電圧に変換する電圧変換部を備えている。この電圧変換部は、例えば、ＤＣ−ＤＣコンバータを備えている。また、この電圧変換部は、例えば予め定められた電圧（予め定められた絞り駆動用電源Ｖｍの電圧）まで昇降圧した電圧に変換する。そして、アダプター電源部３２０は、生成した絞り駆動用電源Ｖｍの電圧を絞り連動レバー駆動部３３０に供給する。
なお、アダプター電源部３２０は、絞り駆動用電源Ｖｍの電圧に基づいてレンズ制御系電源Ｖｃの電圧を変換する（生成する）第１レギュレータ部を備える構成としてもよい。例えば、この第１レギュレータ部は、絞り駆動用電源Ｖｍの電圧を予め定められた電圧（予め定められたレンズ制御系電源Ｖｃの電圧）まで降圧した電圧に変換する。また、例えば、この第１レギュレータ部は、第１リニアレギュレータを備えている構成としてもよい。なお、絞り駆動用電源Ｖｍの電圧は、レンズ制御系電源Ｖｃの電圧より高い電圧に設定されている。
また、アダプター電源部３２０は、パワー系電源ＰＷＲの電圧に基づいてレンズ駆動系電源Ｖｐの電圧を変換する（生成する）第２レギュレータ部を備えている構成としてもよい。例えば、この第２レギュレータ部は、パワー系電源ＰＷＲの電圧を予め定められた電圧（予め定められたレンズ駆動系電源Ｖｐの電圧）まで降圧した電圧に変換する。また、例えば、この第２レギュレータ部は、第２リニアレギュレータを備えている構成としてもよい。なお、この場合、第２レギュレータ部は、第１レギュレータ部と比べて供給可能な電力が大きくなる（給電量が多い）ように構成されている。また、アダプター電源部３２０は、電源電圧を検出する電圧検出部を備え、検出結果をアダプター制御部３１０に供給する。
【００４３】
なお、アダプター電源部３２０により変換された電源系それぞれの接続は、以下のようになっている。
端子Ｔｃ２は、アダプター電源部３２０のレンズ駆動系電源Ｖｐ出力端子（レンズ駆動系電源Ｖｐの電圧を出力する端子）に接続されている。また、端子Ｔｃ３は、アダプター電源部３２０のレンズ制御系電源Ｖｃ出力端子（レンズ制御系電源Ｖｃの電圧を出力する端子）に接続されている。これにより、アダプター電源部３２０は、端子Ｔｃ２にレンズ駆動系電源Ｖｐの電圧を供給し、端子Ｔｃ３にレンズ制御系電源Ｖｃの電圧を供給する。
また、アダプター電源部３２０は、レンズ駆動系電源Ｖｐの電圧を端子Ｔｃ２および端子Ｔｄ２を介して交換レンズ２００の光学系駆動部２３０に供給する。
また、アダプター電源部３２０は、レンズ制御系電源Ｖｃの電圧を端子Ｔｃ３および端子Ｔｄ３を介して交換レンズ２００のレンズ制御部２１０に供給する。
【００４４】
このように、アダプター電源部３２０は、交換レンズ２００の光学系駆動部２３０およびレンズ制御部２１０に供給する電圧を、パワー系電源ＰＷＲの電圧から生成することができる。
これにより、アダプター３００は、カメラボディ１００から供給される制御系電源Ｖｃｃ１の電圧を、交換レンズ２００に供給する電圧とせずに、アダプター制御部３１０に供給する電圧とすることができる。カメラボディ１００内のカメラ電源部１２０は、端子Ｔａ３を介して接続されている接続先に対して、制御系電源Ｖｃｃ１を（接続先からの「供給要求」がある限り）常時供給するように構成されている。このため端子Ｔａ３に対して端子Ｔｂ３を介して接続されているアダプター制御部３１０は、例えカメラボディ１００側の電源スイッチがＯＦＦされたとしても、常時起動させておくことができる。アダプター制御部３１０を常時起動させておくことにより、アダプター３００側の設定状態（例えば、絞り連動レバー３５０の初期化処理が完了済みか否かなど）を記憶しておくことが出来るので、カメラボディ１００側の電源スイッチをＯＮしたときにアダプター３００内で無駄な初期化処理を行わずに済む、という利点がある。
【００４５】
また、本実施形態では記載していないが、アダプター３００側にユーザ操作可能なカメラボディ起動スイッチ（アダプター３００側で電源のＯＮ／ＯＦＦを切り替えるスイッチ）を設けた場合には、その起動スイッチのＯＮ操作を常時モニターできるので、アダプター３００側の操作によってカメラボディ１００を起動させるシステムを構成することも可能になる（ちなみに、もしレンズ制御部２１０を常時起動させるように、制御系電源Ｖｃｃ１をレンズ制御部２１０に伝達するシステム構成を採用した場合には、交換レンズ２００側にカメラボディ１００を起動するための操作スイッチを設けたとしても、交換レンズ２００とカメラボディ１００の両者間には起動状態にない（電源供給されていないため）アダプター３００が介在しているため、その交換レンズ２００側の操作スイッチの操作をカメラボディ１００側に伝えることができないため、カメラボディ１００を起動させることが出来ない）。
【００４６】
さらに、アダプター電源部３２０は、アダプター３００内の絞り駆動用電源Ｖｍの電圧を、絞り連動レバー駆動部３３０に供給する。つまりアダプター３００は、絞り連動レバー駆動部３３０に供給する電圧を、カメラボディ１００から供給されるパワー系電源ＰＷＲの電圧から生成する。パワー系電源ＰＷＲは、制御系電源Ｖｃｃ１よりも給電力が十分に大きいため、パワー系電源ＰＷＲを様々な回路への給電に利用することができ、且つ本実施形態のようにパワー系電源ＰＷＲから絞り連動レバー駆動部３３０に給電する電圧を作成しても（パワー系電源ＰＷＲを兼用しても）、その兼用先の他の回路の動作（例えば上述のレンズ制御部２１０の動作）に悪影響を与えることがない
【００４７】
また、端子Ｔｂ１は、カメラボディ１００の端子Ｔａ１に接続されている。これにより、パワー系グランドＰＧＮＤは、端子Ｔａ１を介して端子Ｔｂ１に接続されている。また、端子Ｔｂ１と端子Ｔｃ１とは、アダプター３００内でパワー系グランドＰＧＮＤとして接続されている。さらに、端子Ｔｃ１は、交換レンズ２００の端子Ｔｄ１に接続されている。これにより、パワー系グランドＰＧＮＤは、レンズ駆動系電源Ｖｐに対応するグランドとして、端子Ｔｃ１を介して端子Ｔｄ１に接続されている。なお、パワー系グランドＰＧＮＤは、アダプター電源部３２０および絞り連動レバー駆動部３３０等のグランドとしても接続されている。
【００４８】
また、端子Ｔｂ８は、カメラボディ１００の端子Ｔａ８に接続されている。これにより、制御系グランドＳＧＮＤは、端子Ｔａ８を介して端子Ｔｂ８に接続されている。また、端子Ｔｂ８と端子Ｔｃ７とは、アダプター３００内で制御系グランドＳＧＮＤとして接続されている。さらに、端子Ｔｃ７は、交換レンズ２００の端子Ｔｄ７に接続されている。これにより、制御系グランドＳＧＮＤは、レンズ制御系電源Ｖｃに対応するグランドとして、端子Ｔｃ７を介して端子Ｔｄ７に接続されている。また、制御系グランドＳＧＮＤは、アダプター制御部３１０のグランドとしても接続されている。
【００４９】
このように、パワー系グランドＰＧＮＤと制御系グランドＳＧＮＤとは、アダプター３００において互いに接続されておらず、２系統のグランドに分離されている。
つまり、交換レンズ２００およびアダプター３００において、パワー系グランドＰＧＮＤと制御系グランドＳＧＮＤとが互いに接続されておらず、２系統のグランドに分離されている。ただし、２系統に分離されているパワー系グランドＰＧＮＤと制御系グランドＳＧＮＤとは、カメラボディ１００において接続され、バッテリー１９０の負極と同電位のグランドになっている。したがって、カメラ制御部１１０、レンズ制御部２１０、およびアダプター制御部３１０のグランドは、制御系グランドＳＧＮＤに接続され同電位になっている。
よって、パワー系グランドＰＧＮＤにおいて生じるノイズが制御系グランドＳＧＮＤに対して影響することを低減することができる。
【００５０】
なお、交換レンズ２００において、制御系グランドＳＧＮＤは、レンズ側マウント２０１の導電部（交換レンズ筐体）に接続されていてもよい。また、交換レンズ２００において制御系グランドＳＧＮＤが接続されている端子Ｔｄ７は、レンズ側マウント２０１の導電部に含まれている構成としてもよい。同様に、アダプター３００において、制御系グランドＳＧＮＤは、第２マウント３０２の導電部に接続されていてもよい。また、アダプター３００において制御系グランドＳＧＮＤが接続されている端子Ｔｃ７は、第２マウント３０２の導電部に含まれている構成としてもよい。
さらに、同様に、端子Ｔｂ８は第１マウント３０１の導電部に接続されていてもよく、また、端子Ｔｂ８は第１マウント３０１の導電部に含まれている構成としてもよい。同様に、端子Ｔａ８も、カメラボディ側マウント１０１の導電部に接続されていてもよく、また、端子Ｔａ８はカメラボディ側マウント１０１の導電部に含まれている構成としてもよい。
【００５１】
絞り連動レバー駆動部３３０は、アダプター制御部３１０の制御により絞り連動レバー３５０の位置を移動させる。絞り連動レバー駆動部３３０は、絞り連動レバー３５０を移動させることにより、交換レンズ２００の絞り機構２５１を絞りレバー２５２を介して変位させる。また、絞り連動レバー駆動部３３０は、絞り連動レバー３５０の位置を検出して、該検出結果をアダプター制御部３１０に出力する。
【００５２】
例えば、絞り連動レバー駆動部３３０は、絞り連動レバー３５０を駆動する絞り駆動用アクチュエータ（例えば、ステッピングモーター）、絞り駆動用アクチュエータを駆動制御するモーター駆動部、および、絞り連動レバー３５０の位置を検出する絞り連動レバー位置検出部等を備えている。これにより、絞り連動レバー駆動部３３０において、モーター駆動部が絞り駆動用アクチュエータを駆動することにより、絞り駆動用アクチュエータが絞り連動レバー３５０を駆動する。また、絞り連動レバー駆動部３３０において、絞り連動レバー位置検出部（例えば、フォトインタラプタ）が、絞り連動レバー３５０の位置を検出して、検出結果をアダプター制御部３１０に供給する。
【００５３】
記憶部３４０は、例えば、不揮発性メモリーであり、交換レンズ２００のレンズ情報が予め記憶している。ここで、レンズ情報とは、カメラボディ１００から要求された場合に、本来なら交換レンズ２００が送信する情報であり、例えば、後述する光学系２２０の情報が含まれる。レンズ情報は、例えば、射出瞳位置情報、開放Ｆ値情報、開放絞り値、収差補正情報、絶対距離情報、ＡＦ補正情報、焦点距離情報などの情報である。記憶部３４０は、これらの複数のレンズ情報を、レンズ情報の組みを示すレンズ情報セットとして、予め記憶している。また、レンズ情報セットは、レンズの種類に応じて、異なる値の情報、又は、異なる種類の情報を含んでもよい。本実施形態では、記憶部３４０には、この本来なら交換レンズ２００が送信する情報である交換レンズ２００のレンズ情報が予め記憶されている。
【００５４】
アダプター制御部３１０は、第１マウント３０１に装着されたカメラボディ１００との間で通信可能な制御部である。アダプター制御部３１０は、アダプター電源制御部３１１と、第１アダプター通信部３１２と、絞り制御部３１４と、を備えている。また、アダプター制御部３１０は、カメラ制御部１１０との周期的な通信により制御されて、アダプター３００が備えている各部において行われる処理を制御するとともに、レンズ制御部２１０と周期的な通信を行う。例えば、アダプター制御部３１０は、カメラ制御部１１０との間で、定常的な周期的通信を実行する。また、アダプター制御部３１０は、レンズ制御部２１０との間でも、定常的な周期的通信を実行する。
【００５５】
また、アダプター制御部３１０は、カメラ制御部１１０からの撮影処理を制御するための通信に基づいて、絞り連動レバー駆動部３３０の制御をするとともに、交換レンズ２００の光学系駆動部２３０を制御するためにレンズ制御部２１０との通信を行う。
【００５６】
また、アダプター制御部３１０は、カメラボディ１００から要求されたレンズ情報を記憶部３４０から読み出して、読み出したレンズ情報をカメラボディ１００に対して送信するボディ送信用レンズ情報として生成する。アダプター制御部３１０は、生成したボディ送信用レンズ情報をカメラボディ１００に対して送信する。すなわち、アダプター制御部３１０は、カメラボディ１００からの要求に応じて、生成したボディ送信用レンズ情報をカメラボディ１００に送信する。
また、アダプター制御部３１０は、第２マウント３０２に装着された交換レンズ２００との間で通信可能である。例えば、アダプター制御部３１０は、カメラボディ１００の情報、アダプター３００の情報、および交換レンズ２００への制御指令、のいずれかを交換レンズ２００に対して送信する処理を実行する。なお、アダプター制御部３１０は、上述したように、記憶部３４０から読み出したレンズ情報をボディ送信用レンズ情報として使用する。そのため、アダプター制御部３１０は、交換レンズ２００から交換レンズ２００の情報を受信する処理を実行して、上述のボディ送信用レンズ情報として使用しなくてもよいし、アダプター制御部３１０は、交換レンズ２００から交換レンズ２００の情報を受信する処理を実行しなくてもよい。また、アダプター制御部３１０は、交換レンズ２００に対して送信する処理を実行し、交換レンズ２００から受信する処理を実行しない形態でもよい。
【００５７】
アダプター電源制御部３１１は、カメラ制御部１１０またはレンズ制御部２１０との通信結果、またはアダプター３００の状態等に応じて、アダプター電源部３２０を制御する。例えば、アダプター電源制御部３１１は、カメラ制御部１１０またはレンズ制御部２１０との通信結果に応じてアダプター電源部３２０を制御して、レンズ制御系電源Ｖｃ、レンズ駆動系電源Ｖｐ、または絞り駆動用電源Ｖｍの電圧を供給させるか否かを制御する。
また、アダプター電源制御部３１１は、カメラボディ１００から電圧が供給される電源系統の電圧（換言すればカメラボディ１００側からアダプター３００に対して供給される電圧の状態）、および、アダプター３００において生成して電圧を供給する電源系統の電圧（換言すればアダプター３００側から交換レンズ２００に対して供給する電圧の状態）を監視する。アダプター電源制御部３１１は、各電源系統の電圧を検出する電圧検出部を備えており、それら電圧検出部からの検出結果に基づいて各電源系統の電圧を監視し、該監視結果を必要に応じてカメラ制御部１１０に通知する。
【００５８】
絞り制御部３１４は、カメラ制御部１１０またはレンズ制御部２１０との通信結果に応じて、絞り連動レバー駆動部３３０を制御する。
例えば、絞り制御部３１４は、カメラ制御部１１０との通信結果に応じて、絞り機構２５１の絞り開口径が、カメラ制御部１１０からの制御指示に応じた絞り開口径になるように絞り連動レバー駆動部３３０を制御する。
また、絞り制御部３１４は、処理に応じて絞り連動レバー３５０の位置を初期の位置に移動させる制御を絞り連動レバー駆動部３３０にする。例えば、絞り制御部３１４は、初期の位置として、絞り機構２５１が開放になる位置、絞り機構２５１の設定絞り値に応じて移動する絞りレバー２５２に干渉しない位置である退避位置、等に絞り連動レバー３５０を移動させるように絞り連動レバー駆動部３３０を制御する。
また、絞り制御部３１４は、絞り連動レバー駆動部３３０において検出された絞り連動レバー３５０の位置を取得する。
【００５９】
第１アダプター通信部３１２は、第１カメラ通信部１１２との間で第１データ通信系Ｄ１ｂの通信を実行し、第１レンズ通信部２１２との間で第１データ通信系Ｄ１Ｌの通信を実行する。
なお、第１データ通信系Ｄ１ｂと第１データ通信系Ｄ１Ｌとは、互いに異なる通信規格である場合に、第１アダプター通信部３１２は、第１カメラ通信部１１２から受信した第１データ通信系Ｄ１ｂの通信データをそのまま第１データ通信系Ｄ１Ｌの通信データとして使用することはできない。また、第１アダプター通信部３１２は、第１レンズ通信部２１２から受信した第１データ通信系Ｄ１ｂの通信データをそのまま第１データ通信系Ｄ１Ｌの通信データとして使用することはできない。そこで、本実施形態では、第１アダプター通信部３１２は、例えば、第１カメラ通信部１１２からレンズ情報を要求する通信データを受信した場合に、第１データ通信系Ｄ１Ｌの通信を行わずに、記憶部３４０に予め記憶されている情報に基づいて生成した通信データを第１カメラ通信部１１２に送信する。
【００６０】
具体的に、第１アダプター通信部３１２は、第１データ通信系Ｄ１ｂの通信によりカメラボディ１００の第１カメラ通信部１１２から要求されたレンズ情報を記憶部３４０から読み出す。第１アダプター通信部３１２は、読み出したレンズ情報をカメラボディ１００の第１カメラ通信部１１２に対して送信するボディ送信用レンズ情報として生成する。第１アダプター通信部３１２は、生成したボディ送信用レンズ情報をカメラボディ１００の第１カメラ通信部１１２に対して第１データ通信系Ｄ１ｂの通信により送信する。
【００６１】
なお、第１アダプター通信部３１２は、カメラボディ１００の情報、アダプター３００の情報、および交換レンズ２００への制御指令、のいずれかを交換レンズ２００に対して送信する処理を実行する。
また、アダプター制御部３１０は、例えば、記憶部（不図示）を備えている。第１アダプター通信部３１２は、受信したデータ、および記憶部３４０から読み出したデータ等に基づいて生成したデータをこの不図示の記憶部に一時的に記憶させる。そして、第１アダプター通信部３１２は、生成したデータを不図示の記憶部から読み出して送信する。
【００６２】
第１アダプター通信部３１２と第１カメラ通信部１１２とは、信号ＲＤＹ、ＣＬＫ１、ＤＡＴＡＢ、ＤＡＴＡＬの４種類の信号線を介して第１データ通信系Ｄ１ｂの通信を実行する。端子Ｔｂ４は、信号ＲＤＹの信号線を介して第１アダプター通信部３１２に接続されている。また、端子Ｔｂ５は信号ＣＬＫ１の信号線、端子Ｔｂ６は信号ＤＡＴＡＢの信号線、および端子Ｔｂ７は信号ＤＡＴＡＬの信号線、を介してそれぞれ第１アダプター通信部３１２に接続されている。そして、端子Ｔｂ４は、カメラボディ１００の端子Ｔａ４に接続されており、端子Ｔｂ５は端子Ｔａ５に、端子Ｔｂ６は端子Ｔａ６に、端子Ｔｂ７は端子Ｔａ７に、それぞれ接続されている。
つまり、第１データ通信系Ｄ１ｂの通信を行う信号ＲＤＹ、ＣＬＫ１、ＤＡＴＡＢ、ＤＡＴＡＬの４種類の信号線は、端子Ｔｂ４〜Ｔｂ７と端子Ｔａ４〜Ｔａ７とを介して第１アダプター通信部３１２と第１カメラ通信部１１２との間で接続されている。
【００６３】
一方、第１アダプター通信部３１２と第１レンズ通信部２１２とは、信号Ｒ／Ｗ、ＣＬＫ２、ＤＡＴＡの３種類の信号線を介して第１データ通信系Ｄ１Ｌの通信を実行する。端子Ｔｃ４は、信号Ｒ／Ｗの信号線を介して第１アダプター通信部３１２に接続されている。また、端子Ｔｃ５は信号ＣＬＫ２の信号線、端子Ｔｃ６は信号ＤＡＴＡの信号線を介して第１アダプター通信部３１２に接続されている。そして、端子Ｔｃ４は、交換レンズ２００の端子Ｔｄ４に接続されており、端子Ｔｃ５は端子Ｔｄ５に、端子Ｔｃ６は端子Ｔｄ６に、それぞれ接続されている。
つまり、第１データ通信系Ｄ１Ｌの通信を行う信号Ｒ／Ｗ、ＣＬＫ２、ＤＡＴＡの３種類の信号線は、端子Ｔｃ４〜Ｔｃ６と端子Ｔｄ４〜Ｔｄ６とを介して第１アダプター通信部３１２と第１レンズ通信部２１２との間で接続されている。
【００６４】
このように、第１アダプター通信部３１２を介して第１カメラ通信部１１２と第１レンズ通信部２１２との間において、第１データ通信系Ｄ１ｂの通信および第１データ通信系Ｄ１Ｌの通信が行われる。この第１データ通信系Ｄ１ｂの通信および第１データ通信系Ｄ１Ｌの通信においては、第１カメラ通信部１１２と第１レンズ通信部２１２との間で、第１アダプター通信部３１２を介して、例えば、光学系２２０の情報、制御指示等の要求コマンド、および要求コマンドに対する応答データ等が通信される。ここで、この第１データ通信系Ｄ１ｂおよび第１データ通信系Ｄ１Ｌにおける通信をコマンドデータ通信と称する。
なお、光学系２２０の情報とは、光学系２２０の種類を示す情報（光学系２２０の仕様、機能、光学特性等を示す情報）、または光学系２２０の駆動状態を示す情報等である。
【００６５】
絞り連動レバー駆動部３３０は、絞り駆動用アクチュエータとしてのステッピングモーター（不図示）と、モーター駆動部（不図示）と、絞り連動レバー位置検出部（不図示）と、を備えている。ステッピングモーターは、絞り連動レバー３５０を駆動する動力源であり、モーター駆動部により駆動される。モーター駆動部は、アダプター制御部３１０の制御により、パルス電圧を生成してステッピングモーターを駆動する。また、絞り連動レバー位置検出部は、例えばフォトインタラプタを含み、絞り連動レバー３５０の位置を検出する。
【００６６】
アダプター３００は、カメラボディ１００から供給される制御系電源Ｖｃｃ１の電圧およびパワー系電源ＰＷＲの電圧のうち、パワー系電源ＰＷＲの電圧から交換レンズ２００に供給するレンズ駆動系電源Ｖｐの電圧およびレンズ制御系電源Ｖｃの電圧を生成する。つまり、アダプター制御部３１０には、カメラボディ１００から制御系電源Ｖｃｃ１の電圧が供給され、交換レンズ２００のレンズ制御部２１０には、アダプター３００においてパワー系電源ＰＷＲから生成されたレンズ制御系電源Ｖｃの電圧が供給される。また、交換レンズ２００の光学系駆動部２３０には、アダプター３００においてパワー系電源ＰＷＲから生成されたレンズ駆動系電源Ｖｐの電圧が供給される。
【００６７】
これにより、アダプター３００は、カメラボディ１００から供給されたパワー系電源ＰＷＲから交換レンズ２００を駆動するための電圧を生成して供給することができる。例えば、アダプター制御部３１０およびレンズ制御部２１０の両方に供給される給電量に対比してカメラボディ１００から供給される制御系電源Ｖｃｃ１の給電量が不足する場合であっても、アダプター３００は、給電量が不足することなくアダプター制御部３１０およびレンズ制御部２１０の両方に給電することができるとともに、光学系駆動部２３０に給電することができる。よって、カメラボディ１００と交換レンズ２００とをアダプター３００を介して接続することにより、カメラボディ１００により交換レンズ２００を駆動して機能させることができる。
【００６８】
また、アダプター３００は、レンズ制御系電源Ｖｃの電圧が供給される負荷の消費電力に対比して消費電力が多い負荷にレンズ駆動系電源Ｖｐの電圧を供給する。すなわち、アダプター３００は、レンズ制御系電源Ｖｃをレンズ制御部２１０に電圧を供給する電源系統として生成し、レンズ制御系電源Ｖｃに対比して供給可能な給電量が多いレンズ駆動系電源Ｖｐを光学系駆動部２３０に電圧を供給する電源系統として生成する。これにより、アダプター３００は、レンズ制御部２１０および光学系駆動部２３０に適切に電圧を供給することができる。よって、アダプター３００は、交換レンズ２００を駆動するための電圧を適切に供給することができる。
【００６９】
＜交換レンズの他の形態＞
次に、交換レンズの他の形態について説明する。
アダプター３００を介してカメラボディ１００と接続して機能させることが可能なレンズは、図３を用いて説明した交換レンズ２００に限られるものではない。交換レンズ２００の他に、様々な交換レンズを、アダプター３００を介してカメラボディ１００と接続して機能させることが可能である。
なお、図３を用いて説明した交換レンズ２００は、通信可能なレンズ制御部２１０を備えており、レンズ制御部２１０が通信結果に基づいて光学系駆動部２３０を制御する交換レンズであり、この交換レンズ２００を、以下の記述においてＣＰＵ（Central Processing Unit）レンズとも称する。
【００７０】
（非ＣＰＵレンズ）
これに対して、図４に示すように、通信可能なレンズ制御部を備えていない交換レンズ２００Ｂを、アダプター３００を介してカメラボディ１００と接続して機能させることも可能である。
図４は、通信可能なレンズ制御部を備えていない交換レンズ２００Ｂを備えているカメラシステム１Ｂの構成の一例を示す概略ブロック図である。同図において図３の各部に対応する部分には同一の符号を付け、その説明を省略する。
この図において、カメラボディ１００と交換レンズ２００Ｂとは、アダプター３００を介して装着されている。
【００７１】
例えば、交換レンズ２００Ｂは、光学系を電気的に駆動しない仕様のレンズであって、ユーザの操作によってフォーカスレンズ２２２Ｂの位置を調整可能なフォーカスリング２６０Ｂと、ユーザの操作によって絞り機構２５１Ｂの絞り開口径を変更可能な絞り環２５５Ｂとを備えているレンズである。また、図４に示す交換レンズ２００Ｂは、図３におけるレンズ制御部２１０、光学系駆動部２３０、および電気的な接続端子（Ｔｄ１〜Ｔｄ７）を備えていない点で、図３に示す交換レンズ２００と異なる。
なお、交換レンズ２００Ｂにおいては、ユーザによって絞り環２５５Ｂが操作されることにより、絞り機構２５１Ｂの絞り開口径（開度、絞り値）が変更される。そのため、アダプター制御部３１０は、絞り機構２５１Ｂの絞り開口径（開度、絞り値）が変更されることに応じて位置が移動する絞りレバー２５２Ｂの位置に干渉しない位置（移動を妨げない位置）である退避位置に、絞り連動レバー３５０を制御する。
これにより、交換レンズ２００Ｂは、アダプター３００を介してカメラボディ１００と接続することが可能であり、交換レンズ２００Ｂの仕様に応じてマニュアル操作によって機能させることができる。
この交換レンズ２００Ｂを、以下の記述において、非ＣＰＵレンズとも称する。
【００７２】
（電磁絞り式ＣＰＵレンズ）
また、図５に示すように、絞り機構２５１Ｃを電気的に駆動する電磁絞り式の交換レンズ２００Ｃを、アダプター３００を介してカメラボディ１００と接続して機能させることも可能である。
図５は、電磁絞り式の交換レンズ２００Ｃを備えているカメラシステム１Ｃの構成の一例を示す概略ブロック図である。同図において図３の各部に対応する部分には同一の符号を付け、その説明を省略する。
この図において、カメラボディ１００と交換レンズ２００Ｃとは、アダプター３００を介して装着されている。
図５に示す交換レンズ２００Ｃは、図３に示す交換レンズ２００が絞りレバー２５２を有する絞りユニット２５０を備えているのに対して、絞り駆動部２３３Ｃを有する電磁絞りユニット２５０Ｃ備えている点で異なる。
【００７３】
例えば、交換レンズ２００Ｃは、電磁絞りユニット２５０Ｃ（ＥＭＤ(Electro-magnetic Diaphragm)を備えているレンズである。この電磁絞りユニット２５０Ｃは、絞り機構２５１Ｃと絞り駆動部２３３Ｃとを備えている。
絞り駆動部２３３Ｃは、レンズ制御部２１０Ｃが備えている光学系制御部２１１Ｃの制御により、絞り機構２５１Ｃの絞り開口径（開度、絞り値）を電気的に駆動して変更する。また、絞り駆動部２３３Ｃは、例えば、絞り駆動用アクチュエータを含んで構成されている。
なお、この図に示す構成においてアダプター３００が絞り機構２５１Ｃを制御する場合、アダプター制御部３１０は、絞り連動レバー駆動部３３０を制御するのに代えて、レンズ制御部２１０Ｃと通信することにより絞り駆動部２３３Ｃを介して絞り機構２５１Ｃを制御する。
これにより、交換レンズ２００Ｃは、アダプター３００を介してカメラボディ１００と接続することが可能であり、カメラ制御部１１０は、アダプター制御部３１０を介してレンズ制御部２１０Ｃと通信することにより、交換レンズ２００Ｃを機能させることができる。
この交換レンズ２００Ｃを、以下の記述において、電磁絞り式ＣＰＵレンズとも称する。
【００７４】
（規格適合レンズ）
なお、交換レンズ２００のレンズ側マウント２０１と、カメラボディ１００のカメラボディ側マウント１０１と、が同じ仕様のレンズマウントである場合は、アダプター３００を介さず直接にカメラボディ１００と接続して機能させることが可能なレンズである。このような交換レンズを、以下の記述において、規格適合レンズとも称する。
【００７５】
＜状態遷移の説明＞
次に、本実施形態による処理について説明する。
まず、図６を参照して本実施形態による状態遷移の概要について説明する。
図６は、本実施形態による交換レンズに係る処理の状態遷移の概要を示すフローチャートである。
【００７６】
まず、カメラボディ１００に対して、カメラボディ１００の主電源がオンされた場合、または、カメラボディ１００の主電源がオンされている状態において、アダプター３００が装着された場合、アダプター３００は、カメラボディ１００の制御により、「レンズ起動処理」を実行する（ステップＳ１００）。
ここで、「レンズ起動処理」とは、例えば、カメラボディ１００のカメラボディ側マウント１０１に対する着脱判定処理、アダプター３００およびアダプター３００に装着されている交換レンズ２００の初期化処理、各電源系統の給電制御処理、等である。また、例えば、このレンズ起動処理において、カメラボディ１００は、カメラボディ１００にアダプター３００を介して装着されている交換レンズ２００の種類や仕様（機能）の情報を取得する。このレンズ起動処理については後述の「レンズ起動処理」において詳述する。
【００７７】
ステップＳ１００においてレンズ起動処理が完了すると、アダプター３００は、カメラボディ１００の制御により、「レンズ定常処理」に遷移する（ステップＳ２００）。
「レンズ定常処理」とは、例えば、レンズ起動処理が完了した後の撮影処理が可能な状態である。このレンズ定常処理において、カメラボディ１００は、例えば、アダプター３００を介して装着されている交換レンズ２００の装着状態の検出と光学系の情報の取得とを所定周期で行う「定常通信」を実行する。このレンズ定常処理については図７を用いて後述する。
【００７８】
次に、カメラボディ１００またはアダプター３００は、レンズ定常処理中において割り込み要求が生じたか否かを判定する（ステップＳ３００）。ステップＳ３００において、割り込み要求がないと判定された場合、アダプター３００は、カメラボディ１００の制御により、レンズ定常処理を継続する。一方、ステップＳ３００において、割り込み要求があると判定された場合、カメラボディ１００またはアダプター３００は、要求された割り込み処理に遷移する（ステップＳ４００）。ここで、割り込み処理とは、例えば、レリーズ操作による撮影開始処理、電源瞬断時の処理、低消費電力モードへの移行または電源オフによる電源遮断処理等である。
なお、カメラボディ１００にアダプター３００が装着されるのに代えて、規格適合レンズが直接に装着された場合の処理の状態遷移も、図６と同様の状態遷移となる。
【００７９】
（レンズ定常処理におけるコマンドデータ通信の説明）
次に、レンズ定常処理（図６のステップＳ２００）において実行されるコマンドデータ通信について説明する。
図７は、レンズ定常処理におけるコマンドデータ通信の通信シーケンスの一例を示す図である。
この図は、交換レンズ２００（ＣＰＵレンズ）とカメラボディ１００とがアダプター３００を介して接続されているカメラシステム１を例としてコマンドデータ通信の一例を示している。アダプター制御部３１０は、カメラ制御部１１０との間で、定常的に周期的通信を実行可能であり、この周期的通信を実行することにより、カメラ制御部１１０からの要求に応じて、記憶部３４０から読み出したレンズ情報（光学系２２０の情報等）をカメラ制御部１１０に送信する。
【００８０】
例えば、図７に示す「レンズ定常処理」において、第１アダプター通信部３１２は、周期Ｔｆ（第１の通信周期）で交換レンズ２００が備えるレンズ制御部２１０との間で通信する第１定期通信と、周期Ｔｍ（第２の通信周期）でカメラボディ１００が備えているカメラ制御部１１０と通信する第２定期通信とを非同期の関係で実行する。
第１アダプター通信部３１２は、周期Ｔｆ（例えば、６４ｍｓｅｃ毎の周期）で、第１データ通信系Ｄ１Ｌの通信（第１定期通信）を第１レンズ通信部２１２と実行する（ステップＳ２０１５、Ｓ２０２５）。
ここで、このレンズ定常処理における第１データ通信系Ｄ１Ｌの通信（第１定期通信）を「レンズ定常通信」と称する。このレンズ定常通信により、第１アダプター通信部３１２は、第１レンズ通信部２１２からレンズ情報（光学系２２０の情報等（第１情報））を取得してもよい。
【００８１】
また、第１アダプター通信部３１２は、第１データ通信系Ｄ１Ｌでの交換レンズ２００との間の通信（第１定期通信）周期Ｔｆとは非同期な周期Ｔｍ（例えば、１６ｍｓｅｃ毎の周期）で、第１データ通信系Ｄ１ｂの通信（第２定期通信）を第１カメラ通信部１１２と実行する（ステップＳ１０１０、Ｓ１０２０、Ｓ１０３０）。この通信周期Ｔｍは、例えば、通信周期Ｔｆよりも高速な通信周期である。
【００８２】
ここで、このレンズ定常処理における第１データ通信系Ｄ１ｂの通信（第２定期通信）を「定常通信」と称する。この定常通信には、レンズ着脱検出処理（レンズ着脱検出）と、定常データ通信処理（以下、「定常データ通信」）とが含まれてもよい。
レンズ着脱検出処理は、第１カメラ通信部１１２からのレンズ着脱検出指示コマンドに応じて、第１アダプター通信部３１２が検出結果を応答する処理である。第１アダプター通信部３１２は、第１レンズ通信部２１２からレンズ定常通信の応答があるか否かに基づいて、交換レンズ２００の着脱を検出し、検出結果を第１カメラ通信部１１２に送信してもよい。
【００８３】
また、定常データ通信は、第１アダプター通信部３１２が生成したレンズ情報（光学系２２０の情報等）を、第１カメラ通信部１１２が取得する通信処理である。すなわち、定常データ通信において、第１カメラ通信部１１２は、第１アダプター通信部３１２に対して、レンズ情報（光学系２２０の情報等）の送信を要求する要求コマンドを送信し、それを受けた第１アダプター通信部３１２からの応答（アダプターからカメラ側への送信）によって、アダプター３００を介した交換レンズ２００からのレンズ情報（光学系２２０の情報等）の受信（取得）処理を行う。この要求コマンドは定常データ通信において定期的に送信されるため、第１カメラ通信部１１２は、この定常データ通信のたびに、レンズ情報の取得（受信）動作を繰り返し行う。
【００８４】
具体的に、第１カメラ通信部１１２は、第１アダプター通信部３１２に対して、レンズ情報を要求する第１データ通信系Ｄ１ｂの通信を実行する（ステップＳ１０１１、Ｓ１０２１、Ｓ１０３１）。すなわち、カメラボディ１００は、交換レンズ２００のレンズ情報を取得する場合には、まずカメラ制御部１１０から、レンズ情報を要求するためのレンズ情報要求コマンドを、第１データ通信系Ｄ１ｂを使ってアダプター３００（第１アダプター通信部３１２）に出力する。このレンズ情報要求コマンドには、第１データ通信系Ｄ１ｂの通信規格上、複数種類の要求コマンド（以下、「第１通信規格コマンド」と称す）が存在している。そして、その要求コマンドごとに所望するレンズ情報の内容（複数種類のレンズ情報のセット）も、第１データ通信系Ｄ１ｂの通信規格上、予め決まっている。例えば、要求コマンドＡは「絞りの位置、防振レンズの位置、収差情報Ａ」の３種のレンズ情報をセットにして要求するコマンドであり、また別の要求コマンドＢは「開放Ｆ値、収差情報Ｂ、周辺光量（減光）情報」の３種のレンズ情報をセットにして要求するコマンドである。
【００８５】
これに対して、第１アダプター通信部３１２は、第１カメラ通信部１１２に送信するデータを生成する（ステップＳ２０１０、Ｓ２０２０、Ｓ２０３０）。すなわち、第１アダプター通信部３１２は、第１レンズ通信部２１２に対して、レンズ情報を要求する第１データ通信系Ｄ１Ｌの通信を実行せずに、記憶部３４０から対応するレンズ情報（光学系２２０の情報等（第２情報））を読み出す。そして、第１アダプター通信部３１２は、読み出したレンズ情報を第１カメラ通信部１１２に対して送信するボディ送信用レンズ情報として生成する。
【００８６】
次に、第１アダプター通信部３１２は、第１カメラ通信部１１２に対して、生成したボディ送信用レンズ情報を応答（送信）する第１データ通信系Ｄ１ｂの通信を実行する（ステップＳ１０１２、Ｓ１０２２、Ｓ１０３２）。
すなわち、第１アダプター通信部３１２は、上記のように生成したレンズ情報を、定常データ通信の周期Ｔｍで第１カメラ通信部１１２に送信する（応答する）。
【００８７】
このように、コマンドデータ通信において、アダプター制御部３１０は、周期Ｔｆのレンズ定常通信により取得した交換レンズ２００からのレンズ情報（光学系２２０の情報等／第１情報）に基づいて、カメラ制御部１１０に送信するレンズ情報（第２情報）を生成する。また、アダプター制御部３１０は、生成したレンズ情報（第２情報）を、周期Ｔｍの定常データ通信によりカメラ制御部１１０に送信する。
これにより、アダプター制御部３１０は、周期Ｔｆのレンズ定常通信により取得して生成したレンズ情報を、周期Ｔｆに対して非同期の関係にある周期Ｔｍの定常データ通信によりカメラ制御部１１０に滞りなく確実に送信することができる。
よって、アダプター制御部３１０は、カメラ制御部１１０と通信することにより、カメラ制御部１１０からの要求に応じて、レンズ制御部２１０から取得したレンズ情報をカメラ制御部１１０に滞りなく送信することができる。
【００８８】
なお、図７を用いて、第１アダプター通信部３１２は、レンズ制御部２１０との通信の周期Ｔｆと、カメラ制御部１１０との通信の周期Ｔｍとが、非同期の関係にある処理について説明したが、周期Ｔｆと周期Ｔｍとが、同期の関係にある処理としてもよい。
また、第１アダプター通信部３１２は、レンズ制御部２１０との定期通信を行わない形態でもよい。
【００８９】
（レンズ起動処理）
次に、レンズ起動処理（図６のステップＳ１００の処理）について説明する。
まず、レンズ起動処理の概要について説明する。
アダプター制御部３１０は、カメラボディ１００から制御系電源Ｖｃｃ１の電圧の供給が開始された場合（制御系電源Ｖｃｃ１からのアダプター制御部３１０に対する給電が開始された後で）、パワー系電源ＰＷＲの電圧の供給開始を要求するパワー系電源ＰＷＲ要求信号をカメラボディ１００に送信する。すなわち、アダプター制御部３１０は、カメラボディ１００から制御系電源Ｖｃｃ１の電圧の給電を受けた後で、パワー系電源ＰＷＲからの給電開始を要求するパワー系電源ＰＷＲ要求信号をカメラボディ１００に送信する。
【００９０】
また、アダプター制御部３１０は、パワー系電源ＰＷＲ要求信号に応じてカメラボディ１００から供給されたパワー系電源ＰＷＲの電圧から、交換レンズ２００に電圧を供給するレンズ駆動系電源Ｖｐの電圧とレンズ制御系電源Ｖｃの電圧とをアダプター電源部３２０に生成させる。なお、アダプター制御部３１０は、パワー系電源ＰＷＲからの給電が開始された後、レンズ駆動系電源Ｖｐの電圧とレンズ制御系電源Ｖｃの電圧とをアダプター電源部３２０に生成させて交換レンズ２００に供給させる。
【００９１】
例えば、アダプター制御部３１０は、アダプター電源部３２０にパワー系電源ＰＷＲからの給電が開始された後に、アダプター電源部３２０からレンズ制御系電源Ｖｃの電圧を交換レンズ２００に供給させる（レンズ制御系電源Ｖｃからの給電を開始させる）。続いて、アダプター制御部３１０は、レンズ制御系電源Ｖｃの電圧をアダプター電源部３２０から交換レンズ２００に供給させた後、レンズ駆動系電源Ｖｐの電圧を交換レンズ２００に供給させる。
具体的には、アダプター制御部３１０は、交換レンズ２００にレンズ制御系電源Ｖｃの電圧が供給されることに応じて、交換レンズ２００からレンズ駆動系電源Ｖｐの電圧の供給開始を要求することを示すレンズ駆動系電源Ｖｐ要求信号を受信した場合、レンズ駆動系電源Ｖｐの電圧をアダプター電源部３２０から交換レンズ２００に供給させる。
【００９２】
また、アダプター制御部３１０は、カメラボディ１００から制御系電源Ｖｃｃ１の電圧の供給が開始された後で、カメラ制御部１１０からの制御指示に応じた初期化処理を実行する。例えば、アダプター制御部３１０は、初期化処理として交換レンズ２００の状態を初期化する処理を実行する（交換レンズ２００に対して要求する）。すなわち、アダプター制御部３１０は、交換レンズ２００に対して給電させた（交換レンズ２００に対してレンズ系電源系統の電源を供給させた）後で、交換レンズ２００の状態を初期化する処理を実行する（交換レンズ２００に対して要求する）。
また、この交換レンズ２００の状態を初期化する処理には、レンズ制御部２１０を初期化するレンズ制御部初期化処理が含まれる。
例えば、アダプター制御部３１０は、初期化処理として、交換レンズ２００に対して給電することにより、交換レンズ２００がアダプター３００に装着されている状態にあるか否かを検出する。そして、アダプター制御部３１０は、交換レンズ２００がアダプター３００に装着されている状態にあることを検出した後、レンズ制御部２１０を初期化するレンズ制御部初期化処理を実行する。
【００９３】
以上説明したように、本実施形態におけるアダプター３００は、カメラボディ１００を着脱可能な第１マウント３０１と、第１マウント３０１とは別に設けられており、交換レンズ２００を着脱可能な第２マウント３０２と、アダプター制御部３１０と、記憶部３４０と、を備えている。アダプター制御部３１０は、第１マウント３０１に装着されたカメラボディ１００との間で通信可能であり、記憶部３４０には、交換レンズ２００のレンズ情報が予め記憶されている。また、アダプター制御部３１０（第１アダプター通信部３１２）は、カメラボディ１００から要求されたレンズ情報を記憶部３４０から読み出して、読み出したレンズ情報をカメラボディ１００に対して送信するボディ送信用レンズ情報として生成する。
これにより、アダプター３００は、アダプター制御部３１０が記憶部３４０から読み出したレンズ情報をボディ送信用レンズ情報として生成するため、交換レンズ２００から取得したレンズ情報を、カメラボディ１００との通信用のデータに変換する必要がない。そのため、本実施形態におけるアダプター３００は、互いに異なる通信規格の交換レンズ２００とカメラボディ１００との間の通信を中継する場合に、中継処理における演算量を低減することができる。また、本実施形態におけるアダプター３００は、通信用のデータに変換を行わないので、アダプター３００とカメラボディ１００との間の応答時間を短縮することができる。よって、本実施形態におけるアダプター３００は、互いに異なる通信規格の交換レンズ２００とカメラボディ１００であっても、アダプター３００を介して接続することにより、適切に機能させることができる。すなわち、本実施形態におけるアダプター３００は、レンズ交換式のカメラシステムにおいて、様々な種類の交換レンズ２００（光学系）を適切に機能させることができる。
【００９４】
また、本実施形態では、アダプター制御部３１０（第１アダプター通信部３１２）は、カメラボディ１００からの要求に応じて、ボディ送信用レンズ情報をカメラボディに送信する。
これにより、カメラボディ１００は、適切なレンズ情報を取得することができる。
【００９５】
また、本実施形態において、アダプター制御部３１０（第１アダプター通信部３１２）は、第２マウント３０２に装着された交換レンズ２００との間で通信可能である。アダプター制御部３１０は、交換レンズ２００に対して送信する処理を実行し、交換レンズ２００から受信する処理を実行しない。
これにより、本実施形態におけるアダプター３００は、交換レンズ２００を制御しつつ、互いに異なる通信規格の交換レンズ２００とカメラボディ１００との間の通信を中継する場合に、中継処理における演算量を低減することができる。
【００９６】
また、本実施形態において、アダプター制御部３１０（第１アダプター通信部３１２）は、カメラボディ１００の情報、アダプター３００の情報、および交換レンズ２００への制御指令、のいずれかを交換レンズ２００に対して送信する処理を実行し、交換レンズ２００からレンズ情報を受信する処理を実行しない。
これにより、本実施形態におけるアダプター３００は、交換レンズ２００を制御しつつ交換レンズ２００からレンズ情報を受信しないため、互いに異なる通信規格の交換レンズ２００とカメラボディ１００との間の通信を中継する場合に、中継処理における演算量を低減することができる。
【００９７】
次に、本発明の第２の実施形態について説明する。
［第２の実施形態］
本実施形態では、複数種類の交換レンズに対応するレンズ情報（レンズ情報セット）が、記憶部３４０に予め記憶されている一例について説明する。
図１は、この発明の一実施形態によるカメラシステム１の構成を示す斜視図である。
図１に示すカメラシステム１は、レンズ交換式のカメラシステムであり、カメラボディ１００と、交換レンズ２００と、カメラボディ１００と交換レンズ２００との間に設けられ、カメラボディ１００と交換レンズ２００とに対してそれぞれ着脱可能に固定されるアダプター３００と、を備えている。
【００９８】
図８は、本実施形態によるアダプター３００Ａの構成の一例を示す斜視図である。
この図において、図２と同一の構成については同一の符号を付し、その説明を省略する。
図８に示すように、アダプター３００Ａは、カメラボディ１００が備えているカメラボディ側マウント１０１に着脱可能な第１マウント３０１（第１マウント部）と、交換レンズ２００が備えているレンズ側マウント２０１に着脱可能な第２マウント３０２（第２マウント部）と、を備えている。また、アダプター３００Ａは、アダプター３００Ａを三脚に取り付け可能とするための三脚座３０５と、レンズ着脱釦３０６と、絞り連動レバー３５０と、レンズ情報選択操作部３６０と、絞り環３７０と、を備えている。
【００９９】
レンズ情報選択操作部３６０は、例えば、選択スイッチであり、複数種類のレンズ情報セットのうちのいずれかのレンズ情報セットを操作者（ユーザ）の操作により選択可能な操作部材である。つまり、レンズ情報選択操作部３６０は、操作者が、アダプター３００に装着されている交換レンズ２００の種類を選択する際に操作する操作部材である。なお、レンズ情報選択操作部３６０は、例えば、交換レンズ２００の種類を操作者（ユーザ）の操作に応じて選択可能である。
例えば、レンズ情報選択操作部３６０は、“状態１”〜“状態５”の５つの状態が選択可能なスイッチであり、“状態１”〜“状態５”のそれぞれには、対応する交換レンズ２００の種類が予め定められている。操作者は、レンズ情報選択操作部３６０を“状態１”〜“状態５”のうちのいずれかの状態に操作することにより、交換レンズ２００の種類を選択することができる。
【０１００】
絞り環３７０（絞り操作部）は、操作者（ユーザ）の操作によって、絞り連動レバー３５０を介して絞り機構２５１の絞り開口径を変更可能な部材である。なお、本実施形態において、ユーザによって絞り環３７０が操作されることにより、絞り機構２５１の絞り開口径（開度、絞り値）が変更される。また、絞り環３７０は、絞り機構２５１の絞り値（開口径、開度）を検出する不図示の検出部（例え、絞り環３７０の回転位置を検出する検出部）備えており、この不図示の検出部が検出した絞り値をアダプター制御部３１０に出力する。絞り環３７０は、交換レンズ２００が備える絞りの絞り値を操作者（ユーザ）の操作に応じて設定可能な絞り操作部として機能する。
【０１０１】
＜カメラシステムのブロック構成の説明＞
次に、図９を参照して、本実施形態におけるカメラシステム１Ａのブロック構成について説明する。
図９は、本実施形態によるカメラシステム１Ａの構成の一例を示す概略ブロック図である。この図において、カメラボディ１００と交換レンズ２００とは、アダプター３００Ａを介して装着されている。また、カメラボディ１００、交換レンズ２００、およびアダプター３００Ａがそれぞれ備える接続端子を介して、互いに電気的に接続されている。
また、この図において、図３と同一の構成については同一の符号を付し、その説明を省略する。
【０１０２】
（アダプターの構成）
次に、アダプター３００Ａの構成について説明する。
アダプター３００Ａは、アダプター制御部３１０Ａと、アダプター電源部３２０と、接続部３０１ｓ（端子Ｔｂ１〜Ｔｂ８）と、接続部３０２ｓ（端子Ｔｃ１〜Ｔｃ７）と、記憶部３４０と、絞り連動レバー３５０と、レンズ情報選択操作部３６０と、絞り環３７０と、を備えている。
【０１０３】
本実施形態において、記憶部３４０には、複数種類の交換レンズ２００それぞれに対応するレンズ情報セットが記憶されている。ここで、レンズ情報セットとは、複数のレンズ情報の組を示している。すなわち、レンズ情報セットには、複数のレンズ情報が含まれている。また、複数種類の交換レンズ２００それぞれに対応するレンズ情報セットは、複数種類の交換レンズ２００それぞれの種類を示す情報とそれぞれ対応付けられて記憶部３４０に記憶されている。ここで、交換レンズ２００の種類とは、例えば、望遠レンズ、広角レンズなどのレンズの種別情報でもよいし、製品名称、製品の種類、製品の搭載している機能、製造履歴情報等の情報でもよい。また、交換レンズ２００の種類を示す情報とは、例えば、交換レンズ２００の種類に対応して予め定められた識別番号、識別名などの情報である。
また、レンズ情報は、交換レンズ２００の種類に対応して、複数の情報を含むレンズ情報セット（情報組）として、記憶部３４０に記憶されている。なお、この情報セットの各レンズ情報は、レンズの種類に応じて、異なる値の情報、又は、異なる種類の情報を含んでもよい。
また、記憶部３４０に記憶されているレンズ情報セットには、絞り環３７０が操作されることに応じて設定された絞り値に対応する絞り値情報が含まれている。すなわち、記憶部３４０には、絞り環３７０が操作されることに応じて設定された絞り値と絞り値情報とが対応付けられて記憶されている。
【０１０４】
アダプター制御部３１０Ａは、第１の実施形態におけるアダプター制御部３１０と同様の機能を有するが、上述の複数種類の交換レンズ２００に対応するレンズ情報を処理する点が異なる。以下、このアダプター制御部３１０Ａにおける複数種類の交換レンズ２００に対応するレンズ情報の処理について説明する。また、アダプター制御部３１０Ａは、アダプター電源制御部３１１と、第１アダプター通信部３１２Ａと、を備えている。
【０１０５】
アダプター制御部３１０Ａ（第１アダプター通信部３１２Ａ）は、記憶部３４０に記憶されている複数種類のレンズ情報セットのうちの選択されたレンズ情報セットの中から、カメラボディ１００から要求されたレンズ情報を読み出す。具体的に、アダプター制御部３１０Ａ（第１アダプター通信部３１２Ａ）は、記憶部３４０に記憶されている複数種類のレンズ情報セットのうち、レンズ情報選択操作部３６０により選択されたレンズ情報セットの中から、カメラボディ１００から要求されたレンズ情報を読み出す。すなわち、アダプター制御部３１０Ａ（第１アダプター通信部３１２Ａ）は、記憶部３４０に記憶されている複数種類のレンズ情報セットのうち、レンズ情報選択操作部３６０により選択された選択された交換レンズ２００の種類を示す情報と対応付けられているレンズ情報セットの中から、カメラボディ１００から要求されたレンズ情報を読み出す。そして、アダプター制御部３１０Ａ（第１アダプター通信部３１２Ａ）は、読み出したレンズ情報をカメラボディ１００に対して送信するボディ送信用レンズ情報として生成する。
【０１０６】
例えば、操作者が、レンズ情報選択操作部３６０の上述した“状態１”〜“状態５”のうちの、“状態１”を選択するように操作した場合に、アダプター制御部３１０Ａ（第１アダプター通信部３１２Ａ）は、“状態１”に対応する交換レンズ２００の種類に対応づけられているレンズ情報セットを選択する。アダプター制御部３１０Ａ（第１アダプター通信部３１２Ａ）は、この選択したレンズ情報セットの中から記憶部３４０に記憶されているカメラボディ１００から要求されたレンズ情報を読み出す。
【０１０７】
また、アダプター制御部３１０Ａ（第１アダプター通信部３１２Ａ）は、絞り環３７０が操作されることに応じて設定された絞り値に対応する絞り値情報を、ボディ送信用レンズ情報として生成する。すなわち、アダプター制御部３１０Ａ（第１アダプター通信部３１２Ａ）は、例えば、絞り環３７０から供給された絞り値に対応する絞り値情報を記憶部３４０から読み出す。アダプター制御部３１０Ａ（第１アダプター通信部３１２Ａ）は、読み出した絞り値情報を、ボディ送信用レンズ情報として生成する。
【０１０８】
このように、アダプター制御部３１０Ａ（第１アダプター通信部３１２Ａ）は、ボディ送信用レンズ情報を生成した後に、生成したボディ送信用レンズ情報をカメラボディ１００のカメラ制御部１１０に送信する。
なお、本実施形態におけるアダプター３００Ａは、図示を省略するが、第１の実施形態におけるアダプター制御部３１０と同様に、非ＣＰＵレンズ（交換レンズ２００Ｂ）や電磁絞り式ＣＰＵレンズ（交換レンズ２００Ｃ）などの様々な交換レンズ２００をカメラボディ１００と接続して機能させることが可能である。
【０１０９】
以上説明したように、本実施形態におけるアダプター３００Ａでは、記憶部３４０には、複数種類の交換レンズ２００それぞれに対応するレンズ情報が、複数のレンズ情報の組を示すレンズ情報セットとして記憶されている。アダプター制御部３１０Ａは、記憶部３４０に記憶されている複数種類のレンズ情報セットのうちの選択されたレンズ情報セットから、カメラボディ１００から要求されたレンズ情報を読み出す。
これにより、本実施形態におけるアダプター３００Ａは、互いに異なる通信規格の交換レンズ２００とカメラボディ１００との間の通信を中継する場合に、中継処理における演算量を低減することができる。さらに、本実施形態におけるアダプター３００Ａは、複数種類の交換レンズ２００にカメラボディ１００を対応させることができる。よって、本実施形態におけるアダプター３００Ａは、様々な種類の交換レンズ２００（光学系）とカメラボディ１００であっても、アダプター３００を介して接続することにより、適切に機能させることができる。
【０１１０】
また、本実施形態では、アダプター３００Ａは、複数種類のレンズ情報セットのうちのいずれかを操作者の操作により選択可能なレンズ情報選択操作部３６０を備えている。そして、アダプター制御部３１０Ａ（第１アダプター通信部３１２Ａ）は、記憶部３４０に記憶されている複数種類のレンズ情報セットのうち、レンズ情報選択操作部３６０により選択されたレンズ情報セットから、カメラボディ１００から要求されたレンズ情報を読み出す。
これにより、操作者は、カメラボディ１００に装着する交換レンズ２００に対応したレンズ情報を適切に選択することができる。
【０１１１】
また、本実施形態では、複数種類の交換レンズ２００それぞれに対応するレンズ情報セットは、複数種類の交換レンズ２００それぞれの種類を示す情報とそれぞれ対応付けられて記憶部３４０に記憶されている。また、アダプター制御部３１０Ａ（第１アダプター通信部３１２Ａ）は、記憶部３４０に記憶されている複数種類のレンズ情報セットのうち、選択された交換レンズ２００の種類を示す情報と対応付けられているレンズ情報セットから、カメラボディ１００から要求されたレンズ情報を読み出す。
これにより、アダプター制御部３１０Ａは、記憶部３４０に記憶されている複数のレンズ情報の中から、装着された交換レンズ２００の種類に対応し、且つ、カメラボディ１００が要求するレンズ情報を正確に読み出すことができる。
【０１１２】
また、本実施形態では、アダプター３００Ａは、交換レンズ２００が備える絞りの絞り値を操作者の操作に応じて設定可能な絞り環３７０を備えている。また、記憶部３４０には、絞り環３７０が操作されることに応じて設定される絞り値と、絞り値情報とが対応付けられて記憶されている。そして、アダプター制御部３１０Ａ（第１アダプター通信部３１２Ａ）は、絞り環３７０が操作されることに応じて設定された絞り値に対応する絞り値情報を記憶部３４０から読み出して、読み出した絞り値情報をボディ送信用レンズ情報として生成する。
これにより、本実施形態におけるアダプター３００Ａは、交換レンズ２００との間の通信を行わずに、カメラボディ１００に対して、絞り値に対応する絞り値情報を供給することができる。よって、本実施形態におけるアダプター３００Ａは、様々な種類の交換レンズ２００（光学系）とカメラボディ１００であっても、アダプター３００を介して接続することにより、適切に機能させることができる。
【０１１３】
なお、本実施形態において、レンズ情報選択操作部３６０を用いてレンズの種類を選択する形態について説明したが、これに限定されるものではない。例えば、図１０に示すように、アダプター３００Ａが、交換レンズ２００の種類を示す情報が操作者により入力可能な入力部３８０を備えている形態でもよい。この場合、入力部３８０は、有線又は無線通信により、操作者が交換レンズ２００の種類を入力可能な外部インターフェース部でもよいし、ディスプレイとキー操作部を備えた入力手段でもよい。操作者は、入力部３８０を操作して、例えば、レンズ名やレンズの種類名などの交換レンズ２００の種類を示す情報を入力する。アダプター制御部３１０Ａ（第１アダプター通信部３１２Ａ）は、記憶部３４０に記憶されている複数種類のレンズ情報セットのうち、入力部３８０により入力された交換レンズ２００の種類を示す情報に対応するレンズ情報セットから、カメラボディ１００から要求されたレンズ情報を読み出す。
これにより、レンズ情報選択操作部３６０を用いる場合と同様に、操作者は、カメラボディ１００に装着する交換レンズ２００に対応したレンズ情報を適切に選択することができる。
なお、レンズ情報選択操作部３６０と入力部３８０とを併用して使用する形態でもよい。
【０１１４】
以上のように、本実施形態によれば、レンズ交換式のカメラシステムにおいて、様々な種類の光学系を適切に機能させることができる。
【０１１５】
なお、図３、図４、および図５に示す、交換レンズ２００とカメラボディ１００とがアダプター３００のみを介して接続されている構成に限られるものではない。
例えば、交換レンズ２００とカメラボディ１００とが、アダプター３００と他の変換アダプター（テレコンバータ等）とを介して交換レンズ２００に接続されている構成としてもよい。
また、上記実施形態のアダプター３００は、光学系を備えていない構成であるが、光学系を備えている構成としてもよい。
【０１１６】
なお、図３、図９および図１０におけるカメラ制御部１１０、レンズ制御部２１０、またはアダプター制御部３１０（３１０Ａ）は、それぞれ専用のハードウェアにより実現されるものであってもよく、また、メモリーおよびＣＰＵ（Central Processing Unit）により構成され、上述のカメラ制御部１１０、レンズ制御部２１０、およびアダプター制御部３１０（３１０Ａ）のそれぞれの機能を実現するためのプログラムをメモリーにロードして実行することによりその機能を実現させるものであってもよい。
【０１１７】
また、上述のカメラ制御部１１０、レンズ制御部２１０、またはアダプター制御部３１０（３１０Ａ）それぞれの機能を実現するためのプログラムをコンピュータ読み取り可能な記録媒体に記録して、この記録媒体に記録されたプログラムをコンピュータシステムに読み込ませ、実行することにより上述の各部の処理をそれぞれ行ってもよい。なお、ここでいう「コンピュータシステム」とは、ＯＳや周辺機器等のハードウェアを含むものとする。
【０１１８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１１９】
以上、この発明の実施形態について図面を参照して詳述してきたが、具体的な構成はこの実施形態に限られるものではなく、この発明の要旨を逸脱しない範囲の設計等も含まれる。
【符号の説明】
【０１２０】
１，１Ａ  カメラシステム、１００  カメラボディ、１１０  カメラ制御部、２００  交換レンズ、２１０  レンズ制御部、２２０  光学系、２３０  光学系駆動部、２５１  絞り機構（絞り）、３００，３００Ａ  アダプター、３０１  第１マウント（第１マウント部）、３０２  第２マウント（第２マウント部）、３１０，３１０Ａ  アダプター制御部、３１２，３１２Ａ  第１アダプター通信部、３２０  アダプター電源部、３３０  絞り連動レバー駆動部、３４０  記憶部、３５０  絞り連動レバー、３６０  レンズ情報選択操作部、３７０  絞り環、３８０  入力部
【図１】
2013064945.tif 000003
【図２】
2013064945.tif 000004
【図３】
2013064945.tif 000005
【図４】
2013064945.tif 000006
【図５】
2013064945.tif 000007
【図６】
2013064945.tif 000008
【図７】
2013064945.tif 000009
【図８】
2013064945.tif 000010
【図９】
2013064945.tif 000011
【図１０】
2013064945.tif 000012